(57)【要約】    【課題】  サーマルプロテクタの復帰を電動機から離れた場所で行える電動機を提供する。    【解決手段】  電動機は、サーマルプロテクタ２４と、サーマルプロテクタの動作により当該サーマルプロテクタと電動機２８との間のスイッチ回路２６ａをオフし、電源がオフされることで該スイッチ回路２６ａをオンするリレー２６とを備える。このため、該リレーにより、サーマルプロテクタが動作した際に、当該サーマルプロテクタと電動機との間の接続のオフ状態が維持される。そして、電源を一旦オフすることで、自動復帰したサーマルプロテクタと電動機との接続がリレー２６により回復する。【選択図】  図１
0003204317.tif 000002
【実用新案登録請求の範囲】
【請求項１】
自動復帰型のサーマルプロテクタと、
前記サーマルプロテクタの動作により前記サーマルプロテクタと電動機との間の接点をオフし、電源がオフされることで前記接点をオンするリレーと、を備える電動機。
【請求項２】
バイメタルとヒータとを備える自動復帰型のサーマルプロテクタと、
前記サーマルプロテクタと並列に接続された励磁コイルと、前記サーマルプロテクタに直列に接続された常閉接点とからなるリレーと、を備える電動機。
【請求項３】
請求項２の電動機であって、前記電動機は単相であり、前記サーマルプロテクタは前記電動機と直列に配置される。
【請求項４】
バイメタルとヒータとを備える自動復帰型のサーマルプロテクタと、
励磁コイルと常閉接点とからなるリレーと、を備える三相の電動機であって、
前記サーマルプロテクタは電動機の中性点に配置され、
前記リレーの励磁コイルは、三相の電源ラインの内の二相の電源ライン間に接続され、前記リレーの常閉接点は、前記二相の電源ラインのそれぞれに配置される。
【請求項５】
請求項１〜４のいずれか１の電動機であって、前記電動機は水中ポンプに収容される。
【請求項６】
請求項１〜４のいずれか１の電動機であって、前記電動機は天井つり下げ型扇風機に収容される。
【請求項７】
請求項２又は請求項４の電動機であって、
電源と前記サーマルプロテクタとの間に電源からの接続をオン・オフするスイッチが設けられる。
【請求項８】
請求項１〜６のいずれか１の電動機であって、
前記電動機は誘導機である。
【考案の詳細な説明】
【技術分野】
【０００１】
本考案は、サーマルプロテクタを備える電動機に関する。
【背景技術】
【０００２】
電動機の過負荷保護装置としては電動機に内蔵されるサーマルプロテクタがある。サーマルプロテクタは、電気的には電源と電動機に直列に結線され、構造的には電動機の内部に取り付けられる。
電動機に過負荷又はロータロックなどの異常が発生した場合、サーマルプロテクタに定格電流の数倍の異常電流が流れ、その発熱によりサーマルプロテクタがオフ動作をして、電動機への通電をカットし、焼損保護を行う。
オフ動作したサーマルプロテクタの復帰方法は、自動復帰と手動復帰の２種類ある。
自動復帰タイプはサーマルプロテクタのバイメタルの復帰温度が５０〜７０℃に設定されており、周囲温度がバイメタルの復帰温度まで下がったときに自動的に復帰動作を行って、電動機への通電を復帰する。
手動温度タイプでは、バイメタルの復帰温度が−１０℃以下に設定されており、通常の周囲温度では自動復帰できない。そして、構造的にバイメタルを押し付けるように釦が装着されており、この釦を押すことで復帰が行われる。
【先行技術文献】
【特許文献】
【０００３】
【特許文献１】特開２００４−１７１９７２号公報
【考案の概要】
【考案が解決しようとする課題】
【０００４】
自動復帰タイプではサーマルプロテクタの周囲温度が下がることで復帰するが、そのタイミングは予想できないため、電源スイッチがオンしたままであると、突然電動機が動き出してしまうことになる。また、電動機が異常なままであると、サーマルプロテクタが動作／復帰を繰り返し、サーマルプロテクタの寿命が尽きた時点で電動機が焼損する場合もある。
手動復帰タイプでは釦を押す必要があるため、電動機が人手の届く範囲にしか設置できない制約がある。
【０００５】
本考案の目的は、サーマルプロテクタの復帰を電動機から離れた場所で行える電動機を提供することである。
【課題を解決するための手段】
【０００６】
本考案に係る電動機は、自動復帰型のサーマルプロテクタと、前記サーマルプロテクタの動作により前記サーマルプロテクタと電動機との間の接点をオフし、電源がオフされることで前記接点をオンするリレーと、を備える。
【考案の効果】
【０００７】
本考案の電動機は、サーマルプロテクタと、サーマルプロテクタの動作により当該サーマルプロテクタと電動機との間の接点をオフし、電源がオフされることで該接点をオンするリレーとを備える。このため、該リレーにより、サーマルプロテクタが動作した際に、当該サーマルプロテクタと電動機との間の接続のオフ状態が維持される。そして、電源を一旦オフすることで、リレーによりサーマルプロテクタと電動機との接続が回復する。このため、サーマルプロテクタが動作した際に、サーマルプロテクタが自動復帰後も電動機への通電が遮断され、電源を一旦オフにすることで、サーマルプロテクタからの通電を再開させることができる。即ち、自動復帰タイプのサーマルプロテクタを、手動復帰タイプのサーマルプロテクタに取り付けられた釦では無く、電源を一旦オフすることでリセットすることができる。このため、サーマルプロテクタの取り付けられた電動機から離れた場所から手動復帰タイプと同様に、電動機の手動復帰が行い得る。
【図面の簡単な説明】
【０００８】
【図１】図１（Ａ）は第１実施形態に係る電動機の回路図であり、図１（Ｂ）は第２実施形態に係る電動機の回路図である。
【考案を実施するための形態】
【０００９】
[第１実施形態]
図１（Ａ）は第１実施形態に係る電動機の回路図である。第１実施形態では、電動機２８は単相の誘導機であって、水中ポンプに収容されている。
電動機２８は、サーマルプロテクタ２４とリレー２６を備え、一緒に水中ポンプ内に収容される。水中ポンプと電源２０との間には、接点２２ａ、２２ｂを備えるスイッチ２２が設けられる。サーマルプロテクタ２４は、バイメタル２４ｄとヒータ２４ａとを備え、自動復帰タイプである。リレー２６は、常閉のスイッチ回路２６ａと励磁コイル２６ｃとを備え、１極である。リレーの励磁コイル２６ｃは電源電圧にて駆動され、該励磁コイルが励磁されたときにスイッチ回路２６ａをオフにする。即ち、リレー２６は、ｂ接点タイプである。電源２０と直列にサーマルプロテクタ２４とリレーのスイッチ回路２６ａと電動機２８が接続されている。リレーの励磁コイル２６ｃは、サーマルプロテクタ２４とスイッチ回路２６ａに対して並列になるように接続されている。
【００１０】
スイッチ２２がオンされると電動機２８が通電され運転が始まる。この時、励磁コイル２６ｃにはサーマルプロテクタとリレーのスイッチ回路２６ａの逆電圧分が印加されるが、電圧は低いため、リレー２６は駆動せず、スイッチ回路２６ａはオン状態である。ここで、電動機２８に過負荷又はロックローター等の異常が発生した場合に、サーマルプロテクタ２４が動作して、電動機２８への回路をオフする。
【００１１】
サーマルプロテクタ２４が動作して回路をオフすると、リレー２６の励磁コイル２６ｃに電源電圧が印加されてリレーのスイッチ回路２６ａが動作して電動機２８への回路がオフとなる。自動復帰タイプであるサーマルプロテクタは、バイメタル２４ｄが温度が下がると自然復帰し通電が可能になる。但し、この時点ではリレーのスイッチ回路２６ａがオフ状態のため、励磁コイル２６ｃには電源電圧が印加されたままで、電動機２８への通電はオフ状態が保たれる。
【００１２】
第１実施形態の電動機２８への通電を復帰させるためには、スイッチ２２を一旦オフにする。これにより励磁コイル２６ｃの電圧印加がなくなって、リレーのスイッチ回路２６ａがオンとなる。再び、スイッチ２２をオンすることで、電動機２８への通電が復帰される。
【００１３】
第１実施形態の電動機は、サーマルプロテクタ２４が動作した際に、サーマルプロテクタが自動復帰後も電動機への通電が遮断される。このため、予期しないタイミングで電動機が再始動することがなくなる。また、第１実施形態の電動機は、電源を一旦オフにすることで、サーマルプロテクタからの通電を再開させることができる。即ち、自動復帰タイプのサーマルプロテクタを、手動復帰タイプのサーマルプロテクタに取り付けられた釦では無く、電源を一旦オフすることでリセットすることができる。このため、サーマルプロテクタの取り付けられた電動機から離れた場所から手動復帰タイプと同様にサーマルプロテクタの手動復帰が行い得る。即ち、サーマルプロテクタの動作より停止した水中ポンプを使用されている水中から引き上げることなく再始動することができる。
【００１４】
[第１実施形態の改変例]
第１実施形態の改変例では、電動機が手の届かないところに配置される天井つり下げ型の扇風機に搭載される。第１実施形態の改変例では、スイッチが省略されている。そして、電源コンセントにプラグを挿すことで給電が行われる。第１実施形態の改変例では、サーマルプロテクタのリセットは、プラグを一旦抜いた後に、再び、電源コンセントに挿すことで行われる。
【００１５】
[第２実施形態]
図１（Ｂ）は第２実施形態に係る電動機の回路図である。第２実施形態では、電動機４８はスター結線の三相の誘導機であって、水中ポンプに収容されている。
電動機４８は、サーマルプロテクタ４４とリレー４６を備える。電動機４８と電源４０との間には、接点４２ａ、４２ｂ、４２ｃを備えるスイッチ４２が設けられる。サーマルプロテクタ４４は、バイメタル４４ｄとヒータ４４ａ、４４ｂ、４４ｃとを備え、自動復帰タイプである。リレー４６は、常閉のスイッチ回路４６ａ、４６ｂと励磁コイル４６ｃとを備える。リレーの励磁コイル４６ｃは電源電圧にて駆動され、該励磁コイルが励磁されたときにスイッチ回路４６ａ、４６ｂをオフにする。即ち、リレー４６は、ｂ接点タイプである。サーマルプロテクタ４４は電動機４８の中性点に配置される。リレー４６の励磁コイル４６ｃは、三相の電源ラインの内の二相の電源ライン間に接続され、リレー４６の常閉のスイッチ回路４６ａ、４６ｂは、上記二相の電源ラインのそれぞれに配置される。第２実施形態の電動機の動作は第１実施形態と同様である。
【符号の説明】
【００１６】
２０    ：電源
２２    ：スイッチ
２２ａ  ：接点
２２ｂ  ：接点
２４    ：サーマルプロテクタ
２４ａ  ：ヒータ
２４ｄ  ：バイメタル
２６    ：リレー
２６ａ  ：スイッチ回路
２６ｃ  ：励磁コイル
２８    ：電動機
【図１】
0003204317.tif 000003